(57)【要約】【課題】  コンクリートを打設してルーフドレインを設置する場所に排水口を設けた溝を形成するために使用するドレイン用抜き型体であって、再利用するため、面倒な作業を伴うことなく、硬化したコンクリートから容易に抜脱することできるようにする。【解決手段】  このドレイン用抜き型体は、抜き型本体１０と固定板２０とを備えている。前記抜き型本体１０は、前記排水口Ａを設ける場所に配置されたドレイン本体４上に載せられ、かつ、ドレイン本体４の中心線を延長する位置に手掛かり穴１１が形成されているとともに、該手掛かり穴１１を対称軸とする一対の係止穴１２，１２が形成されている。前記固定板２０は、前記抜き型本体１０上に着脱され、かつ、前記ドレイン本体４の中心線を延長する位置に挿通孔２１が形成されているとともに、前記係止穴１２，１２に係入する突起２２，２２が突設されている。【選択図】  図１
2007070853.tif 000002
【特許請求の範囲】
【請求項１】
コンクリートを打設してルーフドレインを設置する排水口を設けた溝を形成するために使用するドレイン用抜き型体であって、
前記排水口を設ける場所に配置されたドレイン本体上に載せられ、かつ、該ドレイン本体の中心線を延長する位置に手掛かり穴が形成された抜き型本体と、
前記抜き型本体上に位置決めされるように着脱され、かつ、前記ドレイン本体の中心線を延長する位置に挿通孔が形成されている固定板とを備えていることを特徴とするドレイン用抜き型体。
【請求項２】
前記抜き型本体には、前記手掛かり穴を対称軸とする少なくとも一対の係止穴が形成され、前記固定板には、前記係止穴に係入する少なくとも一対の突起が形成されていることを特徴とする請求項１に記載のドレイン用抜き型体。
【請求項３】
前記固定板の突起は、表裏両面に突設されていることを特徴とする請求項２に記載のドレイン用抜き型体。
【請求項４】
前記固定板には、前記手掛かり穴に係入する突出部が形成されていることを特徴とする請求項１に記載のドレイン用抜き型体。
【請求項５】
前記固定板の突出部は、表裏面に突設されていることを特徴とする請求項４に記載のドレイン用抜き型体。
【請求項６】
前記抜き型本体は、コンクリートとの剥離性に優れた発泡樹脂によって成形されていることを特徴とする請求項１ないし５のいずれか一つに記載のドレイン用抜き型体。
【発明の詳細な説明】
【技術分野】
【０００１】
本発明は、バルコニーや屋外廊下など（以下、「バルコニー」という。）において、コンクリートを打設してルーフドレインを設置する排水口を設けた溝を形成するために使用するドレイン用抜き型体に関し、詳しくは、再利用することができるドレイン用抜き型体に関する。
【背景技術】
【０００２】
バルコニーに形成された溝には、ルーフドレインを設置する場所に排水口が設けられている。図７に示すように、排水口Ａは、型枠１上にセンターボルト２、スペーサ３、ドレイン本体４、そしてドレイン用抜き型体５が固定され、コンクリートＣが打設されることによって設けられる。
【０００３】
センターボルト２は、排水口Ａの中心線に位置するように型枠１に固定される。そして、スペーサ３は、コンクリート厚の３分の２程度の長さの円筒で、型枠１上に回転しないように固定される。
【０００４】
このスペーサ３上にドレイン本体４が回転しないように固定される。ドレイン本体４は、ストレーナ（図示せず）を固定する受皿部４ａと、前記スペーサ３の上部内に間隔をあけて突出する排水管部４ｂとが一体成形されたものである。受皿部４ａは、段差部４ｃを形成したドーナツ盤状で、段差部４ｃがスペーサ３の上端部に嵌まり込むことによってドレイン本体４が位置決めされる。
【０００５】
そして、受皿部４ａの段差部４ｃ上に当て板６が載せられる。当て板６の中心には、センターボルト２が貫通する挿通孔が形成されている。このような当て板６は、センターボルト２に取り付けられるナット７によって固定される。すなわち、この当て板６と型枠１とがドレイン本体４とスペーサ３とを挟んで固定する。
【０００６】
そして、ドレイン本体４の受皿部４ａ上には、図８に示すようなドレイン用抜き型体５が固定される。ドレイン用抜き型体５には、センターボルト２が貫通する貫通孔５ａが形成されている。そして、ドレイン用抜き型体５の上面から突出しているセンターボルト２にナット８が固定される。こうすることにより、ドレイン用抜き型体５の下面がドレイン本体４の受皿部４ａと密着する。このようにして、コンクリートＣを打設する準備が完了する。
【０００７】
コンクリートＣは、粘状のものがドレイン用抜き型体５の上面と同一面となるまで型枠１上に流し込まれる。コンクリートＣが硬化すると、ナット８を外し、ドレイン用抜き型体５をコンクリートＣから抜脱し、センターボルト２と型枠１とを除去する。こうすることによって、ルーフドレインが設置される部分の溝に排水口Ａが設けられる。
【０００８】
なお、ドレイン用抜き型体をコンクリートから容易に抜脱することができるようにしたドレイン用抜き型体保持装置が特許文献１に開示されている。このドレイン用抜き型体保持装置は、ドレイン用抜き型体が易破砕性材料で形成され、型枠上に流し込まれたコンクリートが硬化した後に、ドレイン用抜き型体に手が入る位の穴をバールなどを使用してあけることを特徴としている。このドレイン用抜き型体は、形成された穴に手が掛けられ、引き揚げられることにより、硬化したコンクリートから抜脱される。
【０００９】
【特許文献１】特開平８−１３７１８号公報
【発明の開示】
【発明が解決しようとする課題】
【００１０】
特許文献１に開示されたドレイン用抜き型体保持装置は、ドレイン用抜き型体に手を掛けるための穴を形成するための作業が面倒である。しかも、センターボルトが貫通する貫通孔を損傷しないように手を掛けるための穴を形成することが困難であることから、穴をあけられたドレイン用抜き型体は、再利用することができない。
【００１１】
また、図８に示したドレイン用抜き型体５のように、手を掛けるための穴を形成しない場合であっても、本来、貫通孔５ａに所定の道具を挿し込むことによって、硬化したコンクリートＣから抜き取ることができる。しかし、工事現場では、各種道具がドレイン用抜き型体５に突き刺され、ドレイン用抜き型体５を再利用することができない程度に損傷されることが多くみられる。すると、ドレイン用抜き型体５が再利用されないことによって、建設費用が上昇する。
【００１２】
そこで、本発明は、再利用するため、面倒な作業を伴うことなく、硬化したコンクリートから容易に抜脱することできるようにしたドレイン用抜き型体を提供することを課題とする。
【課題を解決するための手段】
【００１３】
本発明に係るドレイン用抜き型体は、コンクリートを打設してルーフドレインを設置する排水口を設けた溝を形成するために使用するドレイン用抜き型体であって、前記排水口を設ける場所に配置されたドレイン本体上に載せられ、かつ、該ドレイン本体の中心線を延長する位置に手掛かり穴が形成された抜き型本体と、前記抜き型本体上に位置決めされるように着脱され、かつ、前記ドレイン本体の中心線を延長する位置に挿通孔が形成されている固定板とを備えていることを特徴としている。
【００１４】
このドレイン用抜き型体によれば、抜き型本体がドレイン本体上に載せられ、固定板が抜き型本体上に位置決めされて重ね合わされた状態において、ドレイン本体の中心線に位置するセンターボルトが、抜き型本体に形成された手掛かり穴と固定板に形成された挿通孔とを貫通する。センターボルトが抜き型本体の手掛かり穴を貫通するだけでは、センターボルトが手掛かり穴内を相対的に移動し、抜き型本体は位置決めされないが、センターボルトが固定板の挿通孔を貫通することによって、固定板が位置決めされ、抜き型本体がセンターボルトに対して位置決めされる。
【００１５】
そして、粘状のコンクリートが抜き型本体の側面を完全に埋めるまで流し込まれ、このコンクリートが硬化した後に、本ドレイン用抜き型本体をコンクリートから抜脱する。そのため、固定板を抜き型本体上から取り除くことにより、抜き型本体の手掛かり穴を露出させる。そして、この手掛かり穴に手や指、あるいはフック状のハンドルなどを掛けることにより、抜き型本体を引き揚げ、硬化したコンクリートから抜脱する。
【００１６】
また、前記本発明に係るドレイン用抜き型体において、前記抜き型本体には、前記手掛かり穴を対称軸とする少なくとも一対の係止穴が形成され、前記固定板には、前記係止穴に係入する少なくとも一対の突起が形成されていることが好ましい。このドレイン用抜き型体によれば、抜き型本体に少なくとも一対の係止穴が形成され、固定板に少なくとも一対の突起が形成され、この突起が前記係止穴に係入することにより、固定板が抜き型本体上に位置決めされて重ね合わされる。
【００１７】
また、前記本発明に係るドレイン用抜き型体において、前記固定板の突起は、表裏両面に突設されていることが好ましい。このドレイン用抜き型体によれば、固定板の突起が表裏両面に突設されることにより、固定板は、表裏関係なく使用することができ、作業性を向上させることができる。
【００１８】
また、前記本発明に係るドレイン用抜き型体において、前記固定板には、前記手掛かり穴に係入する突出部が形成されていてもよい。このドレイン用抜き型体によれば、固定板に形成された突出部が型抜き本体に形成された手掛かり穴に係入することにより、位置決めされて装着される。なお、突出部は、手掛かり穴の内壁に接合する２本の突条や手掛かり穴の四隅に接合する４本のピン、あるいは、手掛かり穴を完全に塞ぎ、かつ、前記センターボルトが貫通する挿通孔を形成した膨出部などによって構成される。
【００１９】
また、前記本発明に係るドレイン用抜き型体において、前記固定板の突出部は、表裏面に突設されていることが好ましい。このドレイン用抜き型体によれば、固定板の突出部が表裏面に突設されることにより、固定板は、表裏関係なく使用することができ、作業性を向上させることができる。
【００２０】
また、前記本発明に係るドレイン用抜き型体において、前記抜き型本体は、コンクリートとの剥離性に優れた発泡樹脂によって成形されていることが好ましい。このドレイン用抜き型体によれば、抜き型本体がコンクリートとの剥離性に優れた発泡樹脂によって成形されることにより、抜き型本体を硬化したコンクリートから容易に抜脱することができるだけでなく、抜き型本体が割れたりすることがないため、確実に再利用することができる。
【発明の効果】
【００２１】
本発明によれば、ドレイン用抜き型体が抜き型本体と固定板とを備え、前記抜き型本体に手掛かり穴と係止穴とが形成され、前記固定板に挿通孔が形成されることにより、固定板を抜き型本体に位置決めされて重ね合わせた状態において、抜き型本体が所定の位置に位置決めされる。そして、コンクリートが打設された後において、固定板を抜き型本体上から取り除くことにより、抜き型本体に形成された手掛かり穴が露出し、この手掛かり穴に手を掛けることにより、硬化したコンクリートから抜き型本体を容易に抜脱することができる。
【００２２】
したがって、ドレイン用抜き型体を硬化したコンクリートから抜脱するに際して、ドレイン用抜き型体は、損傷しないようにすることができる。この結果、ドレイン用抜き型本体は再利用され、建設費を低減することができる。
【発明を実施するための最良の形態】
【００２３】
本発明に係るドレイン用抜き型体の第１の実施形態について図１ないし図３を参照しながら説明する。ただし、従来と同一部分は、同一符号を付して説明する。
【００２４】
このドレイン用抜き型体は、ドレイン本体４上に載せられる抜き型本体１０と、この抜き型本体１０上に着脱される固定板２０とを備えている。このドレイン用抜き型体は、直線状の溝の中間にルーフドレイン（図示せず）を設置するため、図１に示すように一端部が半円状とされるもの、あるいはＬ字状の溝のコーナにルーフドレインを設置するため、図２に示すように角部が四半円状とされるもののいずれであっても実施することができる。
【００２５】
このようなドレイン用抜き型体に備えられる抜き型本体１０には、ドレイン本体４の中心線を延長する位置、換言すれば、型枠１上に固定されるセンターボルト２が貫通するように手掛かり穴１１が形成され、そして、この手掛かり穴１１を対称軸とする少なくとも一対の係止穴１２，１２が形成されている。係止穴１２，１２は、図３に示すように上面から下面まで貫通していてもよいし、上面から中間まで形成されていてもよい。
【００２６】
そして、抜き型本体１０は、十分な強度を有するとともに、硬化したコンクリートＣから抜脱しやすいように、コンクリートＣとの剥離性に優れたポリエチレンなどの発泡樹脂によって成形され、さらに、上面よりも下面の方が小さくなるように、外周面がテーパ面とされている。
【００２７】
また、固定板２０には、ドレイン本体４の中心線を延長する位置、換言すれば、型枠１上に固定されるセンターボルト２が貫通するように挿通孔２１が形成され、そして前記係止穴１２，１２に係入する少なくとも一対の突起２２，２２が突設されている。したがって、各突起２２，２２は、挿通孔２１を中心とする対称に突設され、換言すれば、各突起２２，２２を結ぶラインの中心に挿通孔２１が形成されている。なお、係止穴１２，１２と突起２２，２２は同じ対が形成される。
【００２８】
そして、固定板２０は、鋼鉄製であると、平板２３に挿通孔２１だけでなく、一対の小孔を形成し、この小孔に突起２２，２２を構成するピンを挿通し、平板２３とピントを溶接することによって製造される。また、固定板２０がＦＲＰやＡＢＳなどの樹脂製であると、平板２３と突起２２，２２とが一体成形される。
【００２９】
いずれにしても、突起２２，２２は、抜き型本体１０の係止穴１２，１２に係入するためのものであるから、平板２３の片面にのみ突出していれば使用することができる。しかし、鋼鉄製の固定板２０にあっては、平板２３の片面にのみピンが突出するように溶接することが困難であるだけでなく、平板２３の表裏両面に突設されているほうが、固定板２０を表裏関係なく使用することができるため、使い勝手がよくなる。そこで、固定板２０は、鋼鉄製であっても樹脂製であっても、平板２３の両側に突起２２，２２が突設されるほうが好ましい。
【００３０】
次に、このようなドレイン用抜き型体を使用して、バルコニーに排水口Ａを設けた溝を形成する方法について説明する。従来と同様、型枠１上の所定の位置にセンターボルト２を固定するとともに、円筒状のスペーサ３を固定する。そして、このスペーサ３上にドレイン本体４を固定する。スペーサ３およびドレイン本体４の中心線上にセンターボルト２が位置している。
【００３１】
そして、ドレイン本体４の内側の段差部４ｃ上に当て板６を載せる。この当て板６を押えるようにナット７をセンターボルト２に取り付け、型枠１とスペーサ３、そしてスペーサ３とドレイン本体４とを密着する。
【００３２】
次に、ドレイン本体４の受皿部４ａ上にドレイン用抜き型体の抜き型本体１０を載せる。すると、抜き型本体１０の手掛かり穴１１からセンターボルト２が突出する。抜き型本体１０は、手掛かり穴１１がセンターボルト２の外径よりも大きいため、位置決めされない。
【００３３】
しかし、抜き型本体１０の上面に固定板２０を重ね合わせることにより、抜き型本体１０は位置ずれしないように位置決めされる。すなわち、固定板２０の挿通孔２１をセンターボルト２が貫通することによって固定板２０が位置決めされ、固定板２０の突起２２，２２が抜き型本体１０の係止穴１２，１２に係入することによって抜き型本体１０が位置決めされる。そして、固定板２０を押さえつけるようにセンターボルト２にナット８を取り付ける。すると、固定板２０と抜き型本体１０とが固定されるだけでなく、抜き型本体１０の下面とドレイン本体４の上縁とが密着する。
【００３４】
そして、型枠１上にコンクリートＣを打設する。すなわち、粘状のコンクリートＣが抜き型本体１０の側面を完全に埋めるまで型枠１上に流し込まれる。型枠１とスペーサ３、スペーサ３とドレイン本体４、ドレイン本体４と抜き型本体１０とがそれぞれ密着しているため、粘状のコンクリートＣは、スペーサ３やドレイン本体４の内側に流入することがない。
【００３５】
コンクリートＣが硬化した後、ナット８を外し、固定板２０を抜き型本体１０上から取り外す。すると、抜き型本体１０の手掛かり穴１１が露出する。作業者がこの手掛かり穴１１に手や指、あるいはフック状のハンドルなどを掛けて、抜き型本体１０を持ち揚げるだけで、抜き型本体１０は硬化したコンクリートＣから抜脱される。すなわち、抜き型本体１０は、特殊な工具などが引っ掛けられず、傷付けられないため、再利用することができる。
【００３６】
そして、センターボルト２を型枠１から外し、当て板６を除去すると、ルーフドレインを設置する部分に排水口Ａを設けた溝が形成される。この排水口Ａの上部は、ドレイン用型抜き体によって所定の形状に拡大部が形成されている。
【００３７】
次に、本発明に係るドレイン用抜き型体の第２の実施形態について図４ないし図６を参照しながら説明する。ただし、従来および第１の実施形態と同一に相当する部分は、同一符号を付して説明する。
【００３８】
このドレイン用抜き型体は、第１の実施形態と同様、ドレイン本体４上に載せられる抜き型本体１０と、この抜き型本体１０上に着脱される固定板２０とを備えている。抜き型本体１０は、図２に示したように、角部が四半円状とされるものであっても実施することができるが、ここでは、一端部が半円状とされるものを図４および図５に示して説明する。
【００３９】
この抜き型本体１０は、手掛かり穴１１が形成されているものの、第１の実施形態と異なり、一対の係止穴１２，１２が形成されていない。すなわち、手掛かり穴１１が第１の実施形態における一対の係止穴１２，１２を兼ねる。
【００４０】
一方、固定板２０には、型抜き本体１０の手掛かり穴１１に係入する突出部２４が設けられている。この突出部２４は、図４に示すように、手掛かり穴１１の内壁に接合する２本の突条、あるいは、図５に示すように、手掛かり穴１１の四隅に接合する４本のピン、あるいは、図示しないが、手掛かり穴１１を完全に塞ぎ、かつ、前記センターボルト２が貫通する挿通孔２１を形成した膨出部などによって構成される。この突出部２４も、第１の実施形態と同様、平板２３の片面にのみ突出していてもよいし、平板２３の両面に突出していてもよい。
【００４１】
いずれにしても、図６に示すように、突出部２４が手掛かり穴１１に係入することによって、固定板２０が型抜き本体１０上に位置決めされて重ね合わされる。このとき、型枠１上の所定の位置にセンターボルト２が固定され、円筒状のスペーサ３が固定され、そして、スペーサ上にドレイン本体４が固定される。そして、センターボルト２が固定板２０の挿通孔２１を貫通することにより、型抜き本体１０が位置決めされ、抜き型本体１０の下面とドレイン本体４の上縁とが密着する。
【００４２】
この状態で、型枠１上にコンクリートＣが打設される。コンクリートＣが硬化した後、固定板２０を型抜き本体１０上から取り外し、型抜き本体１０の手掛かり穴１１を露出させる。作業者がこの手掛かり穴１１に手や指、あるいはフック状のハンドルなどを掛けて、抜き型本体１０を持ち揚げるだけで、抜き型本体１０は硬化したコンクリートＣから抜脱される。この型抜き本体１０は、特殊な工具などで引っ掛けられていないため、再利用される。
【００４３】
なお、本発明は、前記の実施形態に限定することなく、特許請求の範囲に記載した発明特定事項の範囲内において種々変更することができる。
【図面の簡単な説明】
【００４４】
【図１】本発明に係るドレイン用抜き型体の第１の実施形態を示す分解斜視図である。
【図２】本発明に係るドレイン用抜き型体の図１と異なる第１の実施形態を示す分解斜視図である。
【図３】本発明に係るドレイン用抜き型体の第１の実施形態によってルーフドレインを設置する場所の溝に排水口を形成するための断面図である。
【図４】本発明に係るドレイン用抜き型体の第２の実施形態を示す分解斜視図である。
【図５】本発明に係るドレイン用抜き型体の図４と異なる第２の実施形態を示す分解斜視図である。
【図６】本発明に係るドレイン用抜き型体の第２の実施形態によってルーフドレインを設置する場所の溝に排水口を形成するための断面図である。
【図７】従来のドレイン用抜き型体の斜視図である。
【図８】従来のドレイン用抜き型体によってルーフドレインを設置する場所の溝に排水口を形成するための断面図である。
【符号の説明】
【００４５】
４……ドレイン本体
１０…抜き型本体
１１…手掛かり穴
２０…固定板
２１…挿通孔
２２…突起
２４…突出部
Ａ……排水口
Ｃ……コンクリート
【図１】
2007070853.tif 000003
【図２】
2007070853.tif 000004
【図３】
2007070853.tif 000005
【図４】
2007070853.tif 000006
【図５】
2007070853.tif 000007
【図６】
2007070853.tif 000008
【図７】
2007070853.tif 000009
【図８】
2007070853.tif 000010